(57)【特許請求の範囲】
【請求項１】
ユーザの身体を抵抗重りとして機能させつつ、前記ユーザが様々なエクササイズを行うことを可能とするエクササイズ装置であって、
取付けアセンブリと、
取付けアセンブリに連結されたプーリアセンブリと、
相対運動のために第１プーリのまわりに位置決めされ、第１端及び第２端を備える第１プーリケーブル、及び相対運動のために第２プーリのまわりに位置決めされ、第１端と第２端とを備える第２プーリケーブルと、
第１プーリケーブルの第１端に直接連結された第１ハンドル、及び第２プーリケーブルの第１端に直接連結された第２ハンドルと、
第１プーリケーブルの第２端と第２プーリケーブルの第２端の双方に直接連結された身体係合アセンブリと、
を備え、
前記プーリアセンブリは、第１プーリを固定する第１端と第２プーリを固定する第２端とを有する支持棒、および、当該支持棒から延びている連結棒を含み、
前記連結棒は、連結ストラップを前記プーリアセンブリと前記取付けアセンブリの間に固定することによって、前記取付けアセンブリに着脱自在に前記プーリアセンブリを固定し、
前記支持棒の第１端は、第１プーリが固定された第１Ｏ−リングを備え、前記支持棒の第２端は、第２プーリが固定された第２Ｏ−リングを備え、
第１プーリは着脱自在に第１Ｏ−リングに固定され、第２プーリは着脱自在に第２Ｏ−リングに固定されている、
エクササイズ装置。
【請求項２】
前記取付けアセンブリは第１端及び第２端を備え、前記取付けアセンブリの第１端は当接部材を備え、取付けアセンブリの第２端は、前記取付けアセンブリへの前記プーリアセンブリの選択的装着を可能にする着脱可能な連結部材を備える、
請求項１記載のエクササイズ装置。
【請求項３】
前記取付けアセンブリの着脱可能な連結部材がカラビナ形である、
請求項２記載のエクササイズ装置。
【請求項４】
前記取付けアセンブリにプーリアセンブリを固定する調節可能な連結ストラップをさらに備える、
請求項１記載のエクササイズ装置。
【請求項５】
第１ハンドルは着脱自在に第１プーリケーブルの第１端に連結され、第２ハンドルは着脱自在に第２プーリケーブルの第１端に連結されている、
請求項１記載のエクササイズ装置。
【請求項６】
前記身体係合アセンブリは、エクササイズ時のユーザの腰のまわりに位置決めするための形状及び寸法を有するベルトである、
請求項１記載のエクササイズ装置。
【請求項７】
ベルトは、内面及び外面と、第１端及び第２端とを有する長尺状本体を備え、当該長尺状本体の第１端と当該長尺状本体の第２端それぞれには、ユーザの腰のまわりへのベルトの着脱自在な装着を可能にする接続締結部材が設けられている、
請求項６記載のエクササイズ装置。
【請求項８】
ベルトは、前記長尺状本体に着脱自在に第１及び第２プーリケーブルの第２端を固定する際に使用される第１及び第２Ｏ−リングを備える、
請求項７記載のエクササイズ装置。
【請求項９】
第１及び第２Ｏ−リングは前記長尺状本体の外面に沿って配置されている、
請求項８記載のエクササイズ装置。
【請求項１０】
前記第１プーリ回りに配置された前記第１プーリケーブルを保持するように、前記第１プーリケーブルは第１ロックボールおよび第２ロックボールを有し、
前記第１プーリケーブルの第１ロックボールは前記第１プーリケーブルの第１端に隣接し、前記第１プーリケーブルの第２ロックボールは前記第１プーリケーブルの第２端に隣接し、
前記第２プーリ回りに配置された前記第２プーリケーブルを保持するように、前記第２プーリケーブルは第１ロックボールおよび第２ロックボールを有し、
前記第２プーリケーブルの第１ロックボールは前記第２プーリケーブルの第１端に隣接し、前記第２プーリケーブルの第２ロックボールは前記第２プーリケーブルの第２端に隣接している、
請求項１記載のエクササイズ装置。
【発明の詳細な説明】
【技術分野】
【０００１】
本発明はエクササイズ装置に関する。詳細には、本発明は、エクササイズの実施時にユーザの体重を抵抗として用いるエクササイズ装置に関する。
【背景技術】
【０００２】
多数のプーリ（滑車）ベースのエクササイズ装置が公知である。しかしながら、これらの装置には汎用性と使いやすさの双方において様々な欠点がある。従って、働かされ得る筋肉群における広範な汎用性と、ユーザに定期的かつ効率的なエクササイズの励みとなる使いやすさとを提供するプーリベースのエクササイズ装置の必要性は依然として残っている。本発明はかかるエクササイズ装置を提供する。
【発明の概要】
【発明が解決しようとする課題】
【０００３】
従って、本発明の目的は、取付けアセンブリと、取付けアセンブリに連結されたプーリアセンブリとを備えたエクササイズ装置を提供することにある。プーリアセンブリは第１プーリと第２プーリとを備える。第１プーリケーブルが相対運動のために第１プーリのまわりに配置され、第２プーリケーブルが相対運動のために第２プーリのまわりに配置されている。第１プーリケーブルは第１端と第２端とを備え、第２プーリケーブルは第１端と第２端とを備える。第１ハンドルが第１プーリケーブルの第１端に連結され、第２ハンドルが第２プーリケーブルの第１端に連結されている。身体係合アセンブリが第１プーリケーブルの第２端と第２プーリケーブルの第２端との双方に連結されている。
【０００４】
本発明の目的は、また、プーリアセンブリが支持棒を備え、この支持棒からは、取付けアセンブリに対してプーリアセンブリを着脱自在に固定するための連結棒が延びているエクササイズ装置を提供することにもある。
【０００５】
本発明の別の目的は、プーリアセンブリが、支持棒から延びる第１プーリと第２プーリとを備えたエクササイズ装置を提供することにある。
【０００６】
本発明のさらに別の目的は、支持棒が第１端と第２端とを備え、支持棒の第１端は、第１プーリが固定された第１Ｏ−リングと、第２プーリが固定された第２Ｏ−リングとを備えるエクササイズ装置を提供することにある。
【０００７】
本発明の目的は、また、第１Ｏ−リングに第１プーリが着脱自在に固定され、第２Ｏ−リングに第２プーリが着脱自在に固定された、エクササイズ装置を提供することにもある。
【０００８】
本発明の別の目的は、取付けアセンブリが第１端と第２端とを備え、取付けアセンブリの第１端が当接部材を備え、取付けアセンブリの第２端が、取付けアセンブリに対するプーリアセンブリの選択的装着を可能にする着脱可能な連結部材を備えるエクササイズ装置を提供することにある。
【０００９】
本発明のさらに別の目的は、取付けアセンブリの着脱可能な連結部材がカラビナ形であるエクササイズ装置を提供することにある。
【００１０】
本発明の目的は、また、取付けアセンブリにプーリアセンブリを固定する調節可能な連結ストラップを備えたエクササイズ装置を提供することにもある。
【００１１】
本発明の別の目的は、第１プーリケーブルの第１端に第１ハンドルが着脱自在に連結され、第２プーリケーブルの第１端に第２ハンドルが着脱自在に連結された、エクササイズ装置を提供することにある。
【００１２】
本発明のさらに別の目的は、身体係合アセンブリが、エクササイズ時にユーザの腰のまわりに配置するための形状と寸法を有するベルトである、エクササイズ装置を提供することにある。
【００１３】
本発明の目的は、また、ベルトが、内面及び外面と、第１端及び第２端とを有する長尺状本体を備えるエクササイズ装置を提供することにもある。長尺状本体の第１端と長尺状本体の第２端それぞれには、ユーザの腰のまわりへのベルトの着脱可能な取付けを可能にする接合締結部材が設けられている。
【００１４】
本発明の別の目的は、ベルトが、長尺状本体に着脱自在に第１及び第２プーリケーブルの第２端を固定する際に使用される第１及び第２Ｏ−リングを備えたエクササイズ装置を提供することにある。
【００１５】
本発明のさらに別の目的は、第１及び第２Ｏ−リングが長尺状本体の外面に沿って位置決めされたエクササイズ装置を提供することにある。
【００１６】
本発明のその他の目的と効果は、本発明のいくつかの実施形態を記載した添付図面と併せて考察すれば、以下の詳細な説明から明瞭になろう。
【図面の簡単な説明】
【００１７】
【図１】本発明によるエクササイズ装置の斜視図である。
【図２】本エクササイズ装置に係る取付けアセンブリの当接部材の詳細な斜視図である。
【図３】取付けアセンブリへプーリアセンブリを固定する際に使用される調節可能な連結ストラップの詳細な斜視図である。
【図４】使用中のエクササイズ装置を示している。
【図５】使用中のエクササイズ装置を示している。
【図６】本エクササイズ装置と併せて使用されるベルトの透視図である。
【発明を実施するための形態】
【００１８】
以下、本発明の詳細な実施形態を開示する。しかしながら、開示された実施形態は発明の単なる例示であって、様々な形態で実施可能であると理解しなければならない。従って、以下に開示された詳細は、制約的なものではなく、どのように発明を行い、及び／または、使用するかを当業者に教示するための基礎であると解釈される。
【００１９】
様々な図を参照すると、エクササイズを行う個人を抵抗源として使用するエクササイズ装置１０が開示されている。エクササイズ装置１０は、取付けアセンブリ１２と、取付けアセンブリ１２に連結されたプーリアセンブリ１４とを備える。プーリアセンブリ１４は、支持棒１６を備えると共に、この支持棒からは連結棒１８が延びている。連結棒１８は、取付けアセンブリ１２に着脱自在にプーリアセンブリ１４を固定する際に使用される。プーリアセンブリ１４は、支持棒１６から延びている第１プーリ２０と第２プーリ２２も備える。第１プーリケーブル２４が相対運動のために第１プーリ２０のまわりに配置され、第２プーリケーブル２６が相対運動のために第２プーリ２２のまわりに配置されている。第１プーリケーブル２４は第１端２８と第２端３０とを備え、第２プーリケーブル２６は第１端３２と第２端３４とを備える。第１ハンドル３６が第１プーリケーブル２４の第１端２８に連結され、第２ハンドル３８が第２プーリケーブル２６の第１端３２に連結されている。身体係合アセンブリ４０が第１プーリケーブル２４の第２端３０と第２プーリケーブル２６の第２端３４の双方に連結されている。
【００２０】
次に図１、２及び３を参照すると、取付けアセンブリ１２の第１端４６がエクササイズ中にはドア４２の外側４８に位置し、取付けアセンブリ１２の第２端５０がエクササイズ中にはドア４２の内側５２（すなわち、ユーザがエクササイズを行っている部屋の内部）に位置するように、ドア４２とドアフレーム４４との間に配置することによって、取付けアセンブリ１２はドア４２への選択的装着に適合されている。従って、第１端４６には、細長い棒５６の形の当接部材５４が設けられ、細長い棒は、細長い棒５６が大きすぎてドア４２とドアフレーム４４との間のスペースを通り抜けられなくなるようなサイズの拡大クッション性の端部部材５８、６０を有する。取付けアセンブリ１２の第２端５０には、以下の開示内容に基づけば分かるように、取付けアセンブリ１２へのプーリアセンブリ１４の選択的装着を可能にするカラビナ形の着脱可能な連結部材６２が設けられている。取付けアセンブリ１２の第２端５０において着脱可能な連結部材６２は、ドア４２の外側４８とドア４２の内側５２の間を通り抜ける形状と寸法とを有するストラップ６４によって、取付けアセンブリ１２の第１端４６において当接部材５４に固定されており、ストラップ６４はドア４２とドアフレーム４４の間のスペース内に収まっている。
【００２１】
次に、図１、４及び５を参照して最も分かりやすいプーリアセンブリ１４について考察すると、プーリアセンブリ１４は支持棒１６とを備え、この支持棒１６からは連結棒１８と第１及び第２プーリ２０、２２が延びている。支持棒１６は第１端６６と第２端６８とを備え、第１端６６と第２端６８との間には中心部７０を有する。連結棒１８は支持棒１６の略縦中心において支持棒１６に固定され、支持棒１６の縦軸に対して垂直方向に延びている。
【００２２】
取付けアセンブリ１２にプーリアセンブリ１４を固定する場合、特に、取付けアセンブリ１２の第２端３０において着脱可能な連結部材６２にプーリアセンブリ１４を固定する際には、調節可能な連結ストラップ７２が使用される。調節可能な連結ストラップ７２は第１端７４と第２端７６とを備える。調節可能な連結ストラップ７２の第１端７４には、着脱可能な連結部材６２への選択的装着のための形状と寸法とを有する連結リング７８（例えば、Ｏ−リング）が設けられ、連結ストラップ７２の第２端７６には、連結棒１８の自由端８４におけるＯ−リング８２との選択的連結のための形状と寸法とを有するカラビナ形の着脱可能な連結部材８０が設けられている。このようにして、調節可能な連結ストラップ７２をプーリアセンブリ１４と取付けアセンブリ１２との間に選択的に固定してもよく、ドア４２に本エクササイズ装置１０の機能的な構成要素を固定することができる。
【００２３】
上記のように、連結ストラップ７２は調節可能である。好ましい実施形態によれば、これは、間にバックル９０が配置された２つのストラップ部材８６、８８から連結ストラップ７２を形成することによって実現される。連結ストラップ７２の第１端７４を形成する第１ストラップ部材８６は固定長であり、Ｏ−リング７８とバックル９０とに確実に固定されている。連結ストラップ７２の第２端７４を形成する第２ストラップ部材８８は調節可能な操作長さであり、調節可能な連結ストラップ７２の有効長の調節を可能にする形での選択的装着のためにバックル９０を通り抜けている。第２ストラップ部材８８は、着脱可能な連結部材８０が固定された第１端９２と、自由第２端９４とを備える。バックル９０と着脱可能な連結部材８０との間に延びている第２ストラップ部材８８の長さが調節されるように、第２ストラップ部材８８はバックル９０に対して移動させられ、ロックされる。バックル９０が、バックル９０に対する第２ストラップ部材８８の動きを制御するためにピボット・スプリング付勢ラッチ部材９６を使用する従来のスプリングベースのロックバックルであることが正しく理解される。
【００２４】
プーリアセンブリ１４は、支持棒１６から延びている第１プーリ２０と第２プーリ２２も備える。支持棒１６に対する第１プーリ２０の全域移動を可能にする形で、第１プーリ２０は支持棒１６の第１端６６に固定されている。同様に、支持棒１６に対する第２プーリ２２の全域移動を可能にする形で、第２プーリ２２は支持棒１６の第２端６８に固定されている。全域移動と、支持棒１６の各端６６、６８への第１及び第２プーリ２０、２２の着脱可能な装着は、支持棒１６の第１端６６と第２端６８とに第１及び第２Ｏ−リング９８、１００を設けることによって実現される。第１及び第２プーリ２０、２２は、第１及び第２着脱可能な連結部材１０２、１０４、特に、カラビナを使用して、Ｏ−リング９８、１００に固定されており、これらのＯ−リングからは第１及び第２プーリ２０、２２が延びている。
【００２５】
次に第１及び第２プーリ２０、２２について考察すると、これらは従来のプーリであり、様々な形態であってもよい。好ましい実施形態によれば、第１及び第２プーリ２０、２２の各々はＵ形フレーム部材１０６を備える。Ｕ形フレーム部材１０６は、第１及び第２アーム１１２、１１４を連結する接続部材１１０に第１端１０８を、第１及び第２アーム１１２、１１４の自由端に第２端１１６を備える。第１端１０８は、着脱可能な連結部材１０２、１０４が固定されたＯ−リング１１８を備え、第２端１１６は、第１及び第２アーム１１２、１１４の自由端の間に延びているピボットピン１２０を備え、ホイール１２２がピボットピン１２０上で回転する。
【００２６】
上述のように、第１プーリケーブル２４が第１プーリ２０に固定され、第２プーリケーブル２６が第２プーリ２２に固定されている。第１プーリケーブル２４は、接続部材１１０によって閉じられる第１端１０８と、ピボットピン１２０及びホイール１２２によって閉じられる第２端１１６との間のＵ形フレーム部材１０６によって画定されるスペース内部を通り抜ける。第１プーリケーブル２４の第１端２８に隣接して第１ロックボール１２４を固定し、第１プーリケーブル２４の第２端３０に隣接して第２ロックボール１２６を固定することによって、第１プーリケーブル２４は、Ｕ形フレーム部材１０６によって画定されたスペース内に保持されている。第１及び第２ロックボール１２４、１２６は、Ｕ形フレーム部材１０６によって画定されたスペースよりも大きく、第１プーリケーブル２４の第１及び第２端２８、３０は、それぞれ、引っ張られても、Ｕ形フレーム部材１０６によって画定されたスペースを通り抜けることができず、それによって、第１プーリ２０から第１プーリケーブル２４を効率的に除去する。同様に、第２プーリケーブル２６の第１端３２に隣接して第１ロックボール１２８を固定し、第２プーリケーブル２６の第２端３４に隣接して第２ロックボール１３０を固定することによって、第２プーリケーブル２６は、Ｕ形フレーム部材１０６によって画定されたスペース内に保持されている。第１及び第２ロックボール１２８、１３０は、Ｕ形フレーム部材１０６によって画定されたスペースよりも大きく、第２プーリケーブル２６の第１及び第２端３２、３４は、それぞれ、引っ張られても、Ｕ形フレーム部材１０６によって画定されたスペースを通り抜けることができず、それによって、第１プーリ２０から第１プーリケーブル２４を効率的に除去する。
【００２７】
第１プーリケーブル２４は第１端２８と第２端３０とを備える。第１ハンドル３６が、前述した第１ロックボール１２４を越えた位置において、第１プーリケーブル２４の第１端２８に連結されている。身体係合アセンブリ４０は、前述した第２ロックボール１２６を越えた位置において、第１プーリケーブル２４の第２端３０に連結されている。第１ハンドル３６と身体係合アセンブリ４０は、着脱自在に第１プーリケーブル２４に固定されている。好ましい実施形態によれば、第１プーリケーブル２４の第１及び第２端２８、３０と、第１ハンドル３６及び身体係合アセンブリ４０には、カラビナ形の着脱可能な連結部材１３２、１３３を使用して上述のように着脱自在に接続されたＯ−リングが設けられている。第２プーリケーブル２６は第１及び第２端３２、３４を備える。前記第１ロックボール１２８を越えた位置において、第２ハンドル３８は第２プーリケーブル２６の第１端３２に連結されている。身体係合アセンブリ４０は、前記第２ロックボール１３０を越えた位置において、第２プーリケーブル２６の第２端３４に連結されている。第２ハンドル３８と身体係合アセンブリ４０は、着脱自在に第１プーリケーブル２４に固定されている。好ましい実施形態によれば、第２プーリケーブル２６の第１及び第２端３２、３４と、第２ハンドル３８及び身体係合アセンブリ４０には、カラビナ形の着脱可能な連結部材１３１、１３５を使用して上述のように着脱自在に接続されたＯ−リングが設けられている。第１及び第２プーリケーブルの第１端に隣接して形成された把持ボールを設けることによって、汎用性をさらに高められ得る。これらの把持ボールがあれば、ハンドルが非最適のエクササイズを可能にすると共に、有効ケーブル長が短い方が望ましい場合、ユーザがケーブルの実際の端から僅かにずれた位置において、第１及び第２プーリケーブルそれぞれの第１端を把持できるようになる。次に身体係合アセンブリ４０について考察すると、この身体係合アセンブリは、好ましくは、エクササイズ時にユーザの腰のまわりに位置決めするための形状と寸法とを有するベルト１３４である。従って、ベルト１３４は、内面１３８及び外面１４０と、第１端１４２及び第２端１４４を有する長尺状本体１３６を備える。第１端１４２と第２端１４４それぞれには、ユーザの腰のまわりへのベルト１３４の着脱可能な装着を可能にする接続締結部材１４６、１４８が設けられている。ベルト１３４は、主として、中心のワイドなストラップ部材１５０から構成されており、この中心のワイドなストラップ部材からは、ベルト１３４の第１端１４２とベルト１３４の第２端１４４の双方において、（調節を可能にするために従来のバックル１５８を使用する）調節可能なストラップ１５２、１５４が延びている。好ましい実施形態によれば、ワイドなストラップ部材１５０の端は、調節可能なストラップ１５２、１５４によって可能になる比較的大きな目盛調節の必要なしで、異なるエクササイズのための様々な身体位置及び様々な体格に対応するためのワイドなストラップ部材１５０の延伸を可能にする弾性を備えている。
【００２８】
身体係合部材４０の長尺状本体１３６への第１及び第２プーリケーブル２６、２８の第２端３０、３４の装着に関して、長尺状本体１３６の構造は、身体係合部材４０の長尺状本体１３６への第１及び第２プーリケーブル２４、２６の第２端３０、３４を固定する際に使用されるＯ−リング１３７、１３９が、長尺状本体１３４の外面１４０に沿った位置に、すなわち、身体係合アセンブリ４０がユーザの腰のまわりに適切に位置決めされている場合にはユーザから見て外向きの長尺状本体１３６の表面に沿って位置決めされるような構造になっている。
【００２９】
詳細には、Ｏ−リング１３７、１３９は、ユーザの身体の正面に沿って身体の対向側と略整列するように位置決めされている。すなわち、ベルト１３４がユーザのまわりに適切に固定されている場合は、Ｏ−リング１３７、１３９は、身体の右側及び左側に位置決めされることになる。
【００３０】
以下に説明する本エクササイズ装置の用途の多様性からも分かると共に、さらに、上述のように、ベルト１３４は、ユーザの腹部及び胴体に沿った様々な位置にベルト１３４を位置決めすることを可能にする弾性特徴を備えている。特に、ベルト１３４はベルト１３４の第１端に隣接する左側パネル１６２とベルト１３４の第２端に隣接する右側パネル１６４とを備える。左側パネルと右側パネルの各々には、その膨張を制御可能にする弾性部材が備えられている。それに加えて、取付けアセンブリ４０からベルト１３４にテザーを延長することによって、安全性をさらに高められることが分かる。
【００３１】
使用時には、本開示のエクササイズは「バッグ内のジム」であると考えることもできる。特に、身体係合アセンブリ４０には、本エクササイズ装置１０の各種機能コンポーネントを収納することもできるジッパーポーチ１４１が設けられている。好ましい実施形態によれば、ポーチ１４１は、選択的装着を可能にする面ファスナ１６０を使用してベルト１３４に固定されている。
【００３２】
エクササイズを行う時が来たら、ユーザは各種機能コンポーネントを、すなわち、取付けアセンブリ１２とプーリアセンブリ１４とを取り外す。当接部材５４はドア４２の外側に配置され、ストラップ６４はドア４２とドアフレーム４４との間をスライドさせられる。特に、ストラップ６４が、ドアフレーム４４にドア４２を接続する上部ヒンジの上に載るように、ストラップ６４はドア４２の頂部からドア４２とドアフレーム４４との間をスライドさせられる。
【００３３】
当接部材５４がドア４２の外側に位置し、ストラップ６４がドア４２の内側に延びている状態で、調節可能な連結ストラップ７２はストラップ６４に固定され、プーリアセンブリ１４は調節可能な連結ストラップ７２に固定される。次に、ユーザは、エクササイズに応じて、自分の胴体または腰のまわりに身体係合アセンブリを固定する。プーリケーブルの第２端３０が次に身体係合アセンブリ４０の装着点に固定される。この装着点において、ユーザは自分が行おうとする特定のエクササイズに合わせて調節可能な連結ストラップ７２を調節してもよい。特に、ユーザが自分の全体重を完全に利用できるように、すなわち、全体重を完全に持ち上げるが、しかし負荷を身体全体に広げるように、調節可能な連結ストラップ７２は調節される。その後に、ユーザはハンドルを把持して、エクササイズを始めることができる。
【００３４】
その結果、ユーザは重りとなり、エクササイズを行いつつ前傾または反り返ることができる。例えば、本エクササイズ装置は、身体を抵抗重りとして機能させつつ、背中、スクワット、肩、二頭筋、三頭筋などのエクササイズを行うことができる。
【００３５】
胸部トレーニングを行うことを希望する場合は、ベルト１３４を図５に示した快適な位置に配置して前傾することができる。バタフライトレーニングを行う場合、または腕立て伏せや肩のトレーニングを行う場合は、全身を使用して一度の動作で身体を傾けたり、屈伸したりすることができる。身体が傾斜しているため、直立状態を保つためには、身体はその全ての前部筋肉を伸縮させなければならない。背中のエクササイズ、上胸部のエクササイズ、下胸部のエクササイズ、腹筋運動などを行うことができる。
【００３６】
好ましい実施形態について図示と説明を行ったが、かかる開示内容によって発明を制約する意図はなく、むしろ、本発明の主旨と範囲に含まれる全ての変更形態や代替構造を対象とすることを意図したものであることが理解されよう。
【図１】
0006479855.tif 000002
【図４】
0006479855.tif 000003
【図５】
0006479855.tif 000004
【図６】
0006479855.tif 000005